(57)【特許請求の範囲】
【請求項１】
電圧供給システムであって、
第１電圧レベルを生成する第１バッテリーと、
前記第１バッテリーのアノードと電気ノードとの間に直列で電気的にカップリングされたコンタクタと、
前記第１電圧レベルを示す第１電圧信号を生成する第１電圧センサと、
前記電気ノードと前記第１バッテリーのカソードとの間の第２電圧レベルを示す第２電圧信号を生成する第２電圧センサと、
前記電気ノードと前記第１バッテリーのカソードとの間に電気的にカップリングされたＤＣ−ＤＣ電圧コンバータと、
前記ＤＣ−ＤＣ電圧コンバータの出力電圧の印加を受け、前記第１電圧レベルより低い第３電圧レベルを生成する第２バッテリーと、並びに、
前記第１電圧センサ、前記第２電圧センサ、前記コンタクタ及び前記ＤＣ−ＤＣ電圧コンバータに動作可能にカップリングされたマイクロプロセッサとを備えてなり、
前記マイクロプロセッサは、前記コンタクタの接点が閉鎖作動位置から開放作動位置に切り換わるようにしたとき、前記第１電圧レベルが前記第２電圧レベルと実質的に同じであって、前記第１電圧レベルが第１臨界電圧レベルより低ければ、前記ＤＣ−ＤＣ電圧コンバータの作動を非活性化させることを特徴とする、電圧供給システム。
【請求項２】
前記マイクロプロセッサは、前記第１電圧レベルが前記第２電圧レベルと実質的に同じであって、前記第１電圧レベルが第２臨界電圧レベルより高い場合、前記ＤＣ−ＤＣ電圧コンバータの作動を非活性化させるように構成され、前記第２臨界電圧レベルは前記第１臨界電圧レベルより高いことを特徴とする、請求項１に記載の電圧供給システム。
【請求項３】
前記マイクロプロセッサは、前記ＤＣ−ＤＣ電圧コンバータの作動を非活性化するため、前記ＤＣ−ＤＣ電圧コンバータの動作を誘導する制御信号の生成を中断するように構成されたことを特徴とする、請求項１又は２に記載の電圧供給システム。
【請求項４】
前記マイクロプロセッサは、前記ＤＣ−ＤＣ電圧コンバータの作動を非活性化するため、前記ＤＣ−ＤＣ電圧コンバータによって受信されるディスエーブル（ｄｉｓａｂｌｅ）命令を含む命令メッセージを生成するように構成され、前記ディスエーブル命令に従って前記ＤＣ−ＤＣ電圧コンバータが非活性化されることを特徴とする、請求項１〜３の何れか一項に記載の電圧供給システム。
【請求項５】
前記第１電圧レベルは４８ＶＤＣと実質的に同じであり、前記第３電圧レベルは１２ＶＤＣと実質的に同じであることを特徴とする、請求項１〜４の何れか一項に記載の電圧供給システム。
【請求項６】
前記マイクロプロセッサは、前記コンタクタの接点が閉鎖作動位置から開放作動位置に切り換わるように、前記コンタクタに提供される制御信号の生成を中断することを特徴とする、請求項１〜５の何れか一項に記載の電圧供給システム。
【請求項７】
電圧供給システムが欠陥状態であるとき、ＤＣ−ＤＣ電圧コンバータの作動を非活性化するための方法であって、
前記電圧供給システムが、
第１電圧レベルを生成する第１バッテリー、
前記第１バッテリーのアノードと電気ノードとの間に直列で電気的にカップリングされたコンタクタ、
前記第１電圧レベルを測定する第１電圧センサ、
前記電気ノードと前記第１バッテリーのカソードとの間の第２電圧レベルを測定する第２電圧センサ、
前記電気ノードと前記第１バッテリーのカソードとの間に電気的にカップリングされたＤＣ−ＤＣ電圧コンバータ、
前記ＤＣ−ＤＣ電圧コンバータの出力電圧の印加を受け、前記第１電圧レベルより低い第３電圧レベルを生成する第２バッテリー、及び
前記第１電圧センサ、前記第２電圧センサ、前記コンタクタ及び前記ＤＣ−ＤＣ電圧コンバータに動作可能にカップリングされたマイクロプロセッサを備えてなるものであり、
（ａ）前記電圧供給システムを提供する段階と、
（ｂ）前記マイクロプロセッサが前記コンタクタの接点を閉鎖作動位置から開放作動位置に切り換える段階と、
（ｃ）前記第１電圧センサを用いて前記第１電圧レベルを示す第１電圧信号を生成する段階と、
（ｄ）前記第２電圧センサを用いて前記第２電圧レベルを示す第２電圧信号を生成する段階と、及び、
（ｅ）前記第１電圧レベルが前記第２電圧レベルと実質的に同じであって、前記第１電圧レベルが第１臨界電圧レベルより低い場合、前記マイクロプロセッサが前記ＤＣ−ＤＣ電圧コンバータの作動を非活性化する段階とを含んでなることを特徴とする、非活性化するための方法。
【請求項８】
前記第１電圧レベルが前記第２電圧レベルと実質的に同じであって、前記第１電圧レベルが第２臨界電圧レベルより高い場合、前記マイクロプロセッサが前記ＤＣ−ＤＣ電圧コンバータの作動を非活性化する段階をさらに含むことを特徴とする、請求項７に記載の非活性化するための方法。
【請求項９】
前記（ｅ）段階において、前記マイクロプロセッサが前記ＤＣ−ＤＣ電圧コンバータの動作を誘導する制御信号の生成を中断することを特徴とする、請求項７又は８に記載の非活性化するための方法。
【請求項１０】
前記（ｅ）段階において、前記マイクロプロセッサが前記ＤＣ−ＤＣ電圧コンバータによって受信されるディスエーブル命令を含む命令メッセージを生成し、前記ディスエーブル命令に従って前記ＤＣ−ＤＣ電圧コンバータが非活性化されることを特徴とする、請求項７〜９の何れか一項に記載の非活性化するための方法。
【請求項１１】
前記第１電圧レベルは４８ＶＤＣと実質的に同じであり、前記第３電圧レベルは１２ＶＤＣと実質的に同じであることを特徴とする、請求項７〜１０の何れか一項に記載の非活性化するための方法。
【請求項１２】
前記（ｂ）段階は、前記コンタクタの接点が閉鎖作動位置から開放作動位置に切り換わるように、前記マイクロプロセッサが前記コンタクタに提供する制御信号の生成を中断する段階であることを特徴とする、請求項７〜１１の何れか一項に記載の非活性化するための方法。
【発明の詳細な説明】
【技術分野】
【０００１】
本発明は、ＤＣ−ＤＣ電圧コンバータの作動ロジッグが改善された電圧供給システム及び方法に関する。
【０００２】
本出願は、２０１４年４月２２日出願の米国特許出願第１４／２５８，１１３号に基づく優先権を主張し、該当出願の明細書及び図面に開示された内容は、すべて本出願に援用される。
【背景技術】
【０００３】
動作電圧レベルが相異なる２つのバッテリーを含む電圧供給システムが知られている。前記電圧供給システムは、動作電圧レベルの高いバッテリーを放電させて動作電圧レベルの低いバッテリーを充電できるように、ＤＣ−ＤＣ電圧コンバータを備える。
【０００４】
前記電圧供給システムは、負荷に連結される側にコンタクタを含む。前記コンタクタは一種のスイッチであって、前記電圧供給システムと前記負荷との間の電気的連結をオンオフさせる。
【０００５】
前記電圧供給システムの使用期間が長くなれば、前記コンタクタが老朽化する。このような老朽化はコンタクタ故障の原因になり、コンタクタが短絡した状態で故障が起きれば、動作電圧レベルの高いバッテリーが放電し続けて完全放電することがある。
【０００６】
したがって、本発明者は、コンタクタが欠陥状態であるときのバッテリーの完全放電可能性を減少させる、ＤＣ−ＤＣ電圧コンバータの作動を非活性化するための改善された電圧供給システム及び方法の必要性を認識した。
【発明の概要】
【発明が解決しようとする課題】
【０００７】
本発明は、上記問題点に鑑みてなされたものであり、動作電圧レベルが相異なるバッテリー、及びこれらバッテリー間のエネルギー交換のためのＤＣ−ＤＣ電圧コンバータを含む電圧供給システムにおいて、動作電圧レベルが高いバッテリーの完全放電を効果的に防止できる技術を提供することを目的とする。
【課題を解決するための手段】
【０００８】
一実施例による電圧供給システムが提供される。電圧供給システムは、第１アノード及び第１カソードを備える第１バッテリーを含む。第１バッテリーは、第１アノードと第１カソードとの間で第１電圧レベルを生成するように構成される。電圧供給システムは、第１アノードと電気ノードとの間に直列で電気的にカップリングされたコンタクタをさらに含む。電圧供給システムは、第１バッテリーと並列で電気的にカップリングされた第１電圧センサをさらに含む。第１電圧センサは、第１電圧レベルを示す第１電圧信号を生成するように構成される。電圧供給システムは、前記電気ノードと第１バッテリーの第１カソードとの間に電気的にカップリングされた第２電圧センサをさらに含む。第２電圧センサは、前記電気ノードと第１カソードとの間の第２電圧レベルを示す第２電圧信号を生成するように構成される。電圧供給システムは、電気ノードと第１カソードとの間に電気的にカップリングされたＤＣ−ＤＣ電圧コンバータをさらに含む。電圧供給システムは、第２アノード及び第２カソードを備える第２バッテリーをさらに含む。第２アノードは、ＤＣ−ＤＣ電圧コンバータに電気的にカップリングされる。第２バッテリーは、第２アノードと第２カソードとの間に第３電圧レベルを生成するように構成される。第３電圧レベルは第１電圧レベルより低い。電圧供給システムは、第１電圧センサ、第２電圧センサ、コンタクタ及びＤＣ−ＤＣ電圧コンバータに動作可能にカップリングされたマイクロプロセッサをさらに含む。マイクロプロセッサは、コンタクタの接点を閉鎖作動位置から開放作動位置に切り換えるように誘導するため、第１制御信号の生成を中断するようにプログラミングされる。マイクロプロセッサは、接点が閉鎖作動位置にあることを示す第１電圧レベルと第２電圧レベルとが実質的に同じであって、第１電圧レベルが第１臨界電圧レベルより低い場合、ＤＣ−ＤＣ電圧コンバータが第２バッテリーに出力電圧を印加しないように、ＤＣ−ＤＣ電圧コンバータの作動を非活性化するようにさらにプログラミングされる。
【０００９】
他の実施例によれば、電圧供給システムが欠陥状態であるとき、ＤＣ−ＤＣ電圧コンバータの作動を非活性化するための方法が提供される。該方法は、第１バッテリー、第２バッテリー、コンタクタ、第１電圧センサ、第２電圧センサ、ＤＣ−ＤＣ電圧コンバータ及びマイクロプロセッサを備える電圧供給システムを提供する段階を含む。第１バッテリーは、第１アノード及び第１カソードを備える。第１バッテリーは、第１アノードと第１カソードとの間に第１電圧レベルを生成するように構成される。コンタクタは、第１アノードと電気ノードとの間に直列で電気的にカップリングされる。第１電圧センサは、第１バッテリーと並列で電気的にカップリングされる。第２電圧センサは、前記電気ノードと前記第１カソードとの間に電気的にカップリングされる。ＤＣ−ＤＣ電圧コンバータは、前記電気ノードと前記第１カソードとの間に電気的にカップリングされる。第２バッテリーは、第２アノード及び第２カソードを備える。第２アノードは、ＤＣ−ＤＣ電圧コンバータに電気的にカップリングされる。マイクロプロセッサは、第１電圧センサ、第２電圧センサ、コンタクタ及びＤＣ−ＤＣ電圧コンバータに動作可能にカップリングされる。前記方法は、コンタクタが接点を閉鎖作動位置から開放作動位置に切り換えるように誘導するため、マイクロプロセッサによる第１制御信号の生成を中断する段階を含む。前記方法は、第１電圧センサを用いて第１バッテリーの第１電圧レベルを示す第１電圧信号を生成する段階をさらに含む。前記方法は、第２電圧センサを用いて電気ノードと第１カソードとの間の第２電圧レベルを示す第２電圧信号を生成する段階をさらに含む。前記方法は、第１電圧レベルが第２電圧レベルと実質的に同じであって、コンタクタの接点が閉鎖作動位置にあることを示し、第１電圧レベルが第１臨界電圧レベルより低い場合、ＤＣ−ＤＣ電圧コンバータが第２バッテリーに出力電圧を印加しないように、マイクロプロセッサがＤＣ−ＤＣ電圧コンバータの作動を非活性化する段階をさらに含むことができる。
【発明の効果】
【００１０】
本発明によれば、電圧供給システムに含まれたコンタクタの接点が閉鎖作動位置に固定されているとき、ＤＣ−ＤＣ電圧コンバータの作動を非活性化させることで第１バッテリーの完全放電を効果的に遮断することができる。
【図面の簡単な説明】
【００１１】
【図１】図１は、一実施例による電圧供給システム、ＤＣ−ＡＣインバータ及び車両モーターシステムを備える電気自動車の概路図である。
【図２】図２は、他の実施例による、電圧供給システムに欠陥が生じた条件でＤＣ−ＤＣ電圧コンバータの作動を非活性化するための方法を示したフロー図である。
【図３】図３は、他の実施例による、電圧供給システムに欠陥が生じた条件でＤＣ−ＤＣ電圧コンバータの作動を非活性化するための方法を示したフロー図である。
【図４】図４は、他の実施例による、電圧供給システムに欠陥が生じた条件でＤＣ−ＤＣ電圧コンバータの作動を非活性化するための方法を示したフロー図である。
【図５】図５は、他の実施例による、電圧供給システムに欠陥が生じた条件でＤＣ−ＤＣ電圧コンバータの作動を非活性化するための方法を示したフロー図である。
【発明を実施するための形態】
【００１２】
図１を参照すれば、一実施例による電圧供給システム３０、ＤＣ−ＡＣインバータ４０及び車両モーターシステム５０を備える電気自動車１０が示されている。電圧供給システム３０の長所は、コンタクタ８０が閉鎖作動位置に固定されているとき、第１バッテリー６０が完全に放電することを防止するため、ＤＣ−ＤＣ電圧コンバータ１２０が第２バッテリー１３０に出力電圧を印加することを中断するように、ＤＣ−ＤＣ電圧コンバータ１２０の作動を非活性化できることである。
【００１３】
前記電圧供給システム３０は、ＤＣ−ＡＣインバータ４０に作動電圧を供給する。また、前記電圧供給システム３０は、コンタクタ８０が閉鎖作動位置に固定されているとき、第１バッテリー６０が完全に放電することを防止するため、ＤＣ−ＤＣ電圧コンバータ１２０が第２バッテリー１３０に出力電圧を印加することを中断するように、ＤＣ−ＤＣ電圧コンバータ１２０の作動を非活性化する。
【００１４】
前記電圧供給システム３０は、第１バッテリー６０、第１電圧センサ７０、コンタクタ８０、コンタクタドライバ９０、電気ノード１００、第２電圧センサ１１０、ＤＣ−ＤＣ電圧コンバータ１２０及び第２バッテリー１３０を含む。
【００１５】
前記第１バッテリー６０は、アノード１４０及びカソード１４２を備える。ここで、アノードはカソードより相対的に電位が高い。前記第１バッテリー６０は、アノード１４０とカソード１４２との間に第１電圧レベルを生成するように構成される。一実施例において、前記第１バッテリー６０は、複数のバッテリーセルが電気的に一緒にカップリングされたリチウム‐イオンバッテリーパックで構成される。勿論、代案的な実施例において、前記第１バッテリー６０は、例えば、ニッケル‐カドミウム電池、ニッケル‐水素電池、または鉛蓄電池のような他の形態のバッテリーで構成され得る。また、一実施例において、前記第１バッテリー６０は実質的に４８ボルトＤＣ（ＶＤＣ）を出力する。勿論、代案的な実施例において、前記第１バッテリー６０は他の電圧レベルを出力し得る。例えば、前記第１バッテリー６０は、３００〜４００ＶＤＣ範囲の電圧、または４００ＶＤＣより高い電圧を出力することができる。
【００１６】
前記第１電圧センサ７０は、第１バッテリー６０と並列で電気的にカップリングされ、前記第１バッテリー６０のアノード１４０及びカソード１４２と電気的にカップリングされる。前記第１電圧センサ７０は、第１バッテリー６０によって出力される電圧レベルを示す電圧信号ＶPを生成するように構成される。すなわち、前記第１電圧センサ７０は、前記第１バッテリー６０の電圧レベルを測定する。前記マイクロプロセッサ１３５は、第１電圧センサ７０から電圧信号ＶPを受信し、前記電圧信号ＶPに基づいて第１バッテリー６０によって出力される電圧レベルを決定する。
【００１７】
前記コンタクタ８０は、第１アノード６０と電気ノード１００との間に直列で電気的にカップリングされる。前記コンタクタ８０は、コンタクタコイル８２及び接点８３を含む。前記コンタクタ８０が要望通り作動して無欠陥作動状態である場合、前記マイクロプロセッサ１３５は制御信号を生成し、該制御信号はコンタクタドライバ９０によって受信され、前記コンタクタドライバ９０はコンタクタコイル８２に電源を供給して接点８３を閉鎖作動位置に切り換える。一方、前記マイクロプロセッサ１３５が制御信号の生成を中断すれば、前記コンタクタドライバ９０はコンタクタコイル８２への電源供給を遮断して接点８３を開放作動位置に切り換える。前記コンタクタ８０が要望通り作動せず欠陥作動状態になれば、前記マイクロプロセッサ１３５は制御信号の生成を中断してコンタクタドライバ９０がコンタクタコイル８２への電源供給を遮断しても、前記コンタクタ８０が閉鎖作動位置に留まる。
【００１８】
前記第２電圧センサ１１０は、電気ノード１００とカソード１４２との間に電気的にカップリングされる。前記第２電圧センサ１１０は、電気ノード１００とカソード１４２との間の電圧レベルを示す電圧信号ＶLを生成するように構成される。すなわち、前記第２電圧センサ１１０は、電気ノード１００とカソード１４２との間の電圧レベルを測定する。前記マイクロプロセッサ１３５は、第２電圧センサ１１０から電圧信号ＶLを受信し、前記電圧信号ＶLに基づいて電気ノード１００とカソード１４２との間の電圧レベルを決定する。
【００１９】
前記第２バッテリー１３０は、アノード２４０及びカソード２４２を備える。ここで、アノードはカソードより電位が相対的に高い。アノード２４０は、ＤＣ−ＤＣ電圧コンバータ１２０に電気的にカップリングされる。一実施例において、前記第２バッテリー１３０のカソード２４２は、前記第１バッテリー６０のカソード１４２に電気的にカップリングされ、前記カソード２４２とカソード１４２とは共通の電気的接地を有する。代案的な実施例において、前記第２バッテリー１３０のカソード２４２は、前記第１バッテリー６０のカソード１４２に電気的にカップリングされず、前記カソード２４２とカソード１４２とが共通の電気的接地を有しないこともある。前記第２バッテリー１３０は、第１バッテリー６０によって出力される電圧レベルより低い電圧レベルをアノード２４０とカソード２４２との間に生成するように構成される。一実施例において、前記第２バッテリー１３０は鉛蓄電池である。勿論、代案的な実施例において、前記第２バッテリー１３０は、例えば、ニッケル‐カドミウム電池、ニッケル‐水素電池、またはリチウム‐イオン電池のような他の形態のバッテリーで構成され得る。また、一実施例において、前記第２バッテリー１３０は実質的に１２ＶＤＣを出力する。勿論、代案的な実施例において、前記第２バッテリー１３０は他の電圧レベルを出力し得る。
【００２０】
前記ＤＣ−ＤＣ電圧コンバータ１２０は、電気ノード１００と前記第１バッテリー６０のカソード１４２との間に電気的にカップリングされる。したがって、前記ＤＣ−ＤＣ電圧コンバータ１２０には、前記電気ノード１００と前記カソード１４２との間に印加される電圧が入力電圧として印加される。また、前記ＤＣ−ＤＣ電圧コンバータ１２０は、第２バッテリー１３０のアノード２４０に電気的にカップリングされる。前記ＤＣ−ＤＣ電圧コンバータ１２０は、第２バッテリー１３０を充電するため、第２バッテリー１３０のアノード２４０とカソード２４２との間に出力電圧を印加する。
【００２１】
一実施例による作動の際、前記マイクロプロセッサ１３５はＤＣ−ＤＣ電圧コンバータ１２０によって受信される制御信号を生成し、それに従ってＤＣ−ＤＣ電圧コンバータ１２０は第２バッテリー１３０を充電するため、第２バッテリー１３０のアノード２４０とカソード２４２との間に出力電圧を印加する。また、前記マイクロプロセッサ１３５は、コンタクタ８０の接点８３が閉鎖作動位置に固定されていると判断すれば、ＤＣ−ＤＣ電圧コンバータ１２０が第２バッテリー１３０のアノード２４０とカソード２４２との間に出力電圧を印加することを中断するように、ＤＣ−ＤＣ電圧コンバータ１２０の非活性化を誘導するために前記制御信号の生成を中断する。
【００２２】
他の実施例による作動の際、前記マイクロプロセッサ１３５は、ＤＣ−ＤＣ電圧コンバータ１２０によって受信されるイネーブル（ｅｎａｂｌｅ）命令を含む命令メッセージを生成し、それに従ってＤＣ−ＤＣ電圧コンバータ１２０は第２バッテリー１３０を充電するため、第２バッテリー１３０のアノード２４０とカソード２４２との間に出力電圧を印加する。また、前記マイクロプロセッサ１３５は、コンタクタ８０の接点８３が閉鎖作動位置に固定されていると判断すれば、ＤＣ−ＤＣ電圧コンバータ１２０によって受信されるディスエーブル（ｄｉｓａｂｌｅ）命令を含む命令メッセージを生成し、それに従ってＤＣ−ＤＣ電圧コンバータ１２０が非活性化されることで、第２バッテリー１３０のアノード２４０とカソード２４２との間への出力電圧の印加が中断される。
【００２３】
前記ＤＣ−ＡＣインバータ４０は、電気ノード１００とカソード１４２との間に電気的にカップリングされる。また、前記ＤＣ−ＡＣインバータ４０は、電気線２７０、２７２、２７４を介して車両モーターシステム５０に電気的にカップリングされる。また、前記ＤＣ−ＡＣインバータ４０は、マイクロプロセッサ１３５と動作可能に通信する。前記コンタクタ８０の接点８３が閉鎖作動位置にあるとき、前記ＤＣ−ＡＣインバータ４０は第１バッテリー６０の電圧レベルを受信する。また、前記マイクロプロセッサ１３５は、車両モーターシステム５０が要望のトルク量（ｔｏｒｑｕｅ ａｍｏｕｎｔ）を出力するように誘導するため、ＤＣ−ＡＣインバータ４０が電気線２７０、２７２、２７４上にＡＣ電圧を出力するように誘導する制御信号を生成することができる。
【００２４】
前記マイクロプロセッサ１３５は、第１電圧センサ７０、第２電圧センサ１１０、ＤＣ−ＤＣ電圧コンバータ１２０及びＤＣ−ＡＣインバータ４０に動作可能にカップリングされる。前記マイクロプロセッサ１３５は、メモリ装置１３６と動作可能に通信し、メモリ装置１３６にデータ及び動作命令語を保存する。前記マイクロプロセッサ１３５は、後述される動作段階を行うようにプログラミングされる。
【００２５】
図１〜図５を参照し、他の実施例による、電圧供給システムが欠陥状態であるとき、ＤＣ−ＤＣ電圧コンバータ１２０の作動を非活性化するための方法を説明する。
【００２６】
まず、４００段階において、ユーザは第１バッテリー６０、第２バッテリー１３０、コンタクタ８０、第１電圧センサ７０、第２電圧センサ１１０、ＤＣ−ＤＣ電圧コンバータ１２０及びマイクロプロセッサ１３５を備える電圧供給システム３０を提供する。第１バッテリー６０は、アノード１４０及びカソード１４２を備える。第１バッテリー６０は、アノード１４０とカソード１４２との間に第１電圧レベルを生成するように構成される。コンタクタ８０は、アノード１４０と電気ノード１００との間に直列で電気的にカップリングされる。第１電圧センサ７０は、第１バッテリー６０と並列で電気的にカップリングされる。第２電圧センサ１１０は、電気ノード１００とカソード１４２との間に電気的にカップリングされる。ＤＣ−ＤＣ電圧コンバータ１２０は、電気ノード１００とカソード１４２との間に電気的にカップリングされる。第２バッテリー１３０は、アノード２４０及びカソード２４２を備える。アノード２４０は、ＤＣ−ＤＣ電圧コンバータ１２０に電気的にカップリングされる。カソード２４２は、カソード１４２に電気的にカップリングされる。マイクロプロセッサ１３５は、第１電圧センサ７０、第２電圧センサ１１０、コンタクタ８０及びＤＣ−ＤＣ電圧コンバータ１２０に作動可能にカップリングされる。４００段階の後、前記方法は４０２段階に移行する。
【００２７】
４０２段階において、マイクロプロセッサ１３５は、第１電圧レベルがＤＣ−ＤＣ電圧コンバータ１２０に印加されるように、コンタクタ８０の接点８３が開放作動位置から閉鎖作動位置に切り換わるように誘導するため、第１制御信号を生成する。４０２段階の後、前記方法は４０４段階に移行する。
【００２８】
４０４段階において、マイクロプロセッサ１３５は、コンタクタ８０の接点８３が閉鎖作動位置から開放作動位置に切り換わるように誘導するため、第１制御信号の生成を中断する。４０４段階の後、前記方法は４０６段階に移行する。
【００２９】
４０６段階において、第１電圧センサ７０は、第１バッテリー６０の第１電圧レベルを示す第１電圧信号を生成する。４０６段階の後、前記方法は４０８段階に移行する。
【００３０】
４０８段階において、第２電圧センサ１１０は、電気ノード１００とカソード１４２との間の第２電圧レベルを示す第２電圧信号を生成する。４０８段階の後、前記方法は４１６段階に移行する。
【００３１】
４１６段階において、マイクロプロセッサ１３５は、コンタクタ８０の接点８３が閉鎖作動位置にあることを示す、第１電圧レベルが第２電圧レベルと実質的に同じであるか否か、及び第１電圧レベルが第１臨界電圧レベルより低いか否かを判断する。４１６段階の値が「はい」である場合、前記方法は４１８段階に移行する。そうでなければ、前記方法は４２０段階に移行する。
【００３２】
４１８段階において、マイクロプロセッサ１３５は、ＤＣ−ＤＣ電圧コンバータ１２０が第２バッテリー１３０に出力電圧を印加しないように、ＤＣ−ＤＣ電圧コンバータ１２０の作動を非活性化させる。４１８段階の後、前記方法は終了する。
【００３３】
４１６段階を再び参照すれば、４１６段階の値が「いいえ」である場合、前記方法は４２０段階に移行する。４２０段階において、マイクロプロセッサ１３５は、コンタクタ８０の接点８３が閉鎖作動位置にあることを示す、第１電圧レベルが第２電圧レベルと実質的に同じであるか否か、及び第１電圧レベルが第２臨界電圧レベルより高いか否かを判断する。４２０段階の値が「はい」である場合、前記方法は４２２段階に移行する。そうでなければ、前記方法は終了する。
【００３４】
４２２段階において、マイクロプロセッサ１３５は、ＤＣ−ＤＣ電圧コンバータ１２０が第２バッテリー１３０に出力電圧を印加しないように、ＤＣ−ＤＣ電圧コンバータ１２０の作動を非活性化させる。４２２段階の後、前記方法は終了する。
【００３５】
一実施例において、４１８段階は５００段階によって具現される。５００段階において、マイクロプロセッサ１３５は、ＤＣ−ＤＣ電圧コンバータ１２０が第２バッテリー１３０に出力電圧を印加しないように、ＤＣ−ＤＣ電圧コンバータ１２０の非活性化を誘導するため、第２制御信号の生成を中断する。他の実施例において、４１８段階は５０２段階によって具現される。５０２段階において、マイクロプロセッサ１３５は、ＤＣ−ＤＣ電圧コンバータ１２０によって受信されるディスエーブル命令を含む命令メッセージを生成し、ディスエーブル命令に従ってＤＣ−ＤＣ電圧コンバータ１２０が非活性化される。
【００３６】
上述した方法は、本発明を実施するためのコンピューター実行可能な命令語を有する１つまたはそれ以上のメモリ装置、若しくは、コンピューター可読媒体の形態で少なくとも部分的に具現することができる。メモリ装置は、ハードドライブ、ＲＡＭメモリ、フラッシュメモリ及び当業者に知られたその他のコンピューター可読媒体のうちの１つまたはそれ以上で構成され得る。このとき、コンピューター実行可能な命令語が１つまたはそれ以上のコンピューターまたはマイクロプロセッサにローディングされ実行されるとき、１つまたはそれ以上のコンピューターまたはマイクロプロセッサは前記方法の諸段階を実施するようにプログラミングされた装置になる。
【００３７】
上述した電圧供給システム及び方法は、他のシステム及び方法に比べて実質的な長所を提供する。特に、電圧供給システム及び方法は、コンタクタが不都合に閉鎖作動位置にあるとき、第１バッテリーの完全放電を防止するため、ＤＣ−ＤＣ電圧コンバータが第２バッテリーに出力電圧を印加することを中断するように、ＤＣ−ＤＣ電圧コンバータの作動を非活性化するという技術的な効果を提供する。
【００３８】
以上、本発明を制限された実施例を挙げて詳しく説明したが、本発明は、このような実施例に制限されるものではなく、本発明の思想と範囲から逸脱しない範囲内で、変異、変化、代替またはそれに相応する変動を含む変形が可能であろう。さらに、上述された本発明の多様な実施例は、一部の実施例のみでも本発明を具現できることを理解しなければならない。したがって、本発明は上述した説明によって制限されない。
【符号の説明】
【００３９】
１０    電源供給システム
４０    ＤＣ−ＡＣインバータ
６０    第１バッテリー
７０    第１電圧センサ
８０    コンタクタ
１１０    第２電圧センサ
１２０    ＤＣ−ＤＣ電圧コンバータ
１３０    第２バッテリー
１３６    マイクロプロセッサ
【図１】
0006416286.tif 000002
【図２】
0006416286.tif 000003
【図３】
0006416286.tif 000004
【図４】
0006416286.tif 000005
【図５】
0006416286.tif 000006